(57)【要約】【課題】各店舗での売上データの精査状況を容易に確認することが可能な情報処理装置及びプログラムを提供する。【解決手段】各店舗の売上データを管理するデータベースにアクセス可能なアクセス手段と、前記売上データに含まれる所定情報に基づいて、当該売上データの精査状況を前記店舗毎に判別する判別手段と、前記判別手段の判別結果に基づいて、前記各店舗での前記売上データの精査状況を表した精査状況画面を表示する表示手段と、を備える。【選択図】図６
2014174572.tif 000002
【特許請求の範囲】
【請求項１】
各店舗の売上データを管理するデータベースにアクセス可能なアクセス手段と、
前記売上データに含まれる所定情報に基づいて、当該売上データの精査状況を前記店舗毎に判別する判別手段と、
前記判別手段の判別結果に基づいて、前記各店舗での前記売上データの精査状況を表した精査状況画面を表示する表示手段と、
を備える情報処理装置。
【請求項２】
前記判別手段は、前記売上データに含まれる前記精査状況を示した設定値に基づいて、当該売上データの精査状況を判別する請求項１に記載の情報処理装置。
【請求項３】
前記判別手段は、前記売上データの各々に含まれる金額入力欄の入力状態に基づいて、当該売上データの精査状況を判別する請求項１又は２に記載の情報処理装置。
【請求項４】
前記判別手段は、前記売上データの各々に含まれる所定項目の金額入力欄の入力状態に基づいて、当該所定項目の精査状況をそれぞれ判別し、
前記表示手段は、前記判別手段で判別された前記所定項目毎の精査状況に基づいて、前記各店舗での前記所定項目毎の精査状況を表した前記精査状況画面を表示する請求項１〜３の何れか一項に記載の情報処理装置。
【請求項５】
前記データベースは、前記各店舗の売上データを日毎に管理し、
前記判別手段は、前記精査状況の表示を行う日数に応じて、前記精査状況の判別対象を前記売上データ全体又は前記所定項目に切り替え、
前記表示手段は、前記精査状況を日毎に表示する請求項４に記載の情報処理装置。
【請求項６】
コンピュータを、
各店舗の売上データを管理するデータベースにアクセス可能なアクセス手段と、
前記売上データに含まれる所定情報に基づいて、当該売上データの精査状況を前記店舗毎に判別する判別手段と、
前記判別手段の判別結果に基づいて、前記各店舗での前記売上データの精査状況を表した精査状況画面を表示する表示手段と、
して機能させるためのプログラム。
【発明の詳細な説明】
【技術分野】
【０００１】
本発明の実施形態は、情報処理装置及びプログラムに関する。
【背景技術】
【０００２】
一般に、ショッピングセンターでは、センター内にテナントとして入居し営業している各店舗での日々の売上を管理することが行われている。
【発明の概要】
【発明が解決しようとする課題】
【０００３】
ところで、各店舗の売上実績は当該店舗の店員等により精査された後、売上データとしてショッピングセンターに提出されることが一般的である。しかしながら、従来の技術では、各店舗での精査状況は確認することができないため、売上管理の上で利便性に欠けるものとなっていた。
【課題を解決するための手段】
【０００４】
実施形態の注文受付装置は、アクセス手段と、判別手段と、表示手段とを備える。アクセス手段は、各店舗の売上データを管理するデータベースにアクセスする。判別手段は、前記売上データに含まれる所定情報に基づいて、当該売上データの精査状況を前記店舗毎に判別する。表示手段は、前記判別手段の判別結果に基づいて、前記各店舗での前記売上データの精査状況を表した精査状況画面を表示する。
【図面の簡単な説明】
【０００５】
【図１】図１は、実施形態に係る店舗売上管理システムの全体構成を模式的に示す図である。
【図２】図２は、図１に示したＰＯＳ端末の電装系の構成例を示す図である。
【図３】図３は、図２のＰＯＳ端末で生成される売上データのデータ構成の一例を示す図である。
【図４】図４は、図１に示したデータベースが有する記憶領域のデータ構成の一例を示す図である。
【図５】図５は、図１に示した店舗売上管理装置の電装系の構成例を示す図である。
【図６】図６は、精査状況画面の一例を示す図である。
【図７】図７は、精査状況画面の一例を示す図である。
【図８】図８は、実施形態の店舗売上管理装置が実行する精査状況表示処理の手順を示すフローチャートである。
【発明を実施するための形態】
【０００６】
以下、添付図面を参照して、本発明に係る情報処理装置及びプログラムの実施形態を詳細に説明する。なお、以下の実施形態では、本発明の情報処理装置及びプログラムをショッピングセンターに適用した例について説明するが、この実施形態によりこの発明が限定されるものではない。
【０００７】
図１は、本実施形態に係る店舗売上管理システム１の全体構成を模式的に示す図である。店舗売上管理システム１は、ショッピングセンターにテナントとして出店している各店舗にそれぞれ設置された複数台のＰＯＳ端末１０と、ＰＯＳ端末１０で生成される売上データを記憶・管理するデータベース２０と、ショッピングセンターの本部（デベロッパー）に設置された情報処理装置としての店舗売上管理装置３０とを有する。ＰＯＳ端末１０、データベース２０及び店舗売上管理装置３０は、ＬＡＮ（Local  Area  Network）等のネットワークＮを介して相互に通信可能に接続される。
【０００８】
ここで、ＰＯＳ端末１０の各々は、販売登録された各商品の販売データに基づいて、自店舗での売り上げを集計した売上データを生成する。売上データはデータベース２０に登録され、ＰＯＳ端末１０では、このデータベース２０から該当する売上データを読み出すことで後述する精査等の処理を行う。
【０００９】
ＰＯＳ端末１０は、例えば図２に示すような電装系を有している。ここで、図２は、ＰＯＳ端末１０の電装系の構成例を示す図である。
【００１０】
ＰＯＳ端末１０は、ＣＰＵ（Central  Processing  Unit）、ＲＯＭ（Read  Only  Memory）、ＲＡＭ（Random  Access  Memory）等で構成されるコンピュータ構成の制御部１１と、当該制御部１１にバス１２を介して接続された、ネットワークＮに接続可能な通信インタフェース１３と、Ｉ／Ｏ機器制御部１４とを備える。また、制御部１１には、バス１２及びＩ／Ｏ機器制御部１４を介して、入力部１５、表示部１６及び記憶部１７等が接続される。
【００１１】
入力部１５は、キーボードやポインティングデバイス等の入力デバイスを有し、ユーザから操作を受け付け、その操作内容に応じた信号を制御部１１に通知する。表示部１６は、液晶ディスプレイ等の表示デバイスを有し、制御部１１の制御に従い各種の情報を表示する。記憶部１７は、ＨＤＤ（Hard  Disk  Drive）やＳＳＤ（Solid  State  Drive）等の記憶装置を有し、制御部１１のＣＰＵが実行する各種プログラムや設定情報の他、自装置が設置された店舗を識別するテナントコード等を記憶する。
【００１２】
ＰＯＳ端末１０の制御部１１は、入力部１５等を介したユーザ操作に応じ、自装置での売上を報告する売上データを日毎に生成する。ここで、図３は、ＰＯＳ端末１０で生成される売上データのデータ構成の一例を示す図である。売上データＤ１は、種別欄Ｄ１１に入力された売上、控除、純売上等の複数のデータ種別で構成され、取引項目毎のその内訳を記入できるよう構成されている。例えば、データ種別“売上”には、現金、クレジット、商品券（商品券１、２）、掛（売掛、買掛）、計（総売上）等の取引項目が項目欄Ｄ１２に格納されている。項目名欄Ｄ１３は、対応する取引項目の識別子を格納する。また、項目説明Ｄ１４は、対応する取引項目の説明を格納する。
【００１３】
取引欄Ｄ１５には、対応する取引項目の取引により得られた取引金額が入力される。なお、取引金額の入力は、自動で行われる形態としてもよい。訂正欄Ｄ１６には、取引金額の訂正が行われた場合に、その訂正後の訂正金額が入力される。採用欄Ｄ１７には、最終的に採用された採用金額が入力される。また、差額欄Ｄ１８には、例えば、訂正欄Ｄ１６に入力された訂正金額と採用欄Ｄ１７に入力された採用金額との差分値が入力される。また、コメント欄Ｄ１９には、特記事項や連絡事項等のコメントが入力される。
【００１４】
ＰＯＳ端末１０が設置された店舗のユーザは、取引欄Ｄ１５に入力された取引金額を精査しながら、採用欄Ｄ１７に採用金額を入力する。また、ＰＯＳ端末１０を操作する各店舗のユーザは、取引金額を訂正する場合には、その訂正金額を訂正欄Ｄ１６に入力し、採用欄Ｄ１７及び差額欄Ｄ１８に採用金額及び差分値を入力する。
【００１５】
また、売上データＤ１は、上記した各取引金額の精査状況を設定するための精査状況欄Ｄ２０を有している。ここで、精査状況は、例えば５つの状態を設定することが可能である。第１の状態は、何れの取引金額も精査していないことを示す“未精査”、第２の状態は、全ての取引金額を精査し終わったことを示す“精査済”、第３の状態は、精査の途中であることを示す“精査中”である。また、第４の状態は、定休であることを示す“休”、第５の状態は、精査の対象外であることを示す“対象外”である。
【００１６】
ＰＯＳ端末１０が設置された店舗のユーザは、精査状況に応じて上記５つの状態のうち何れか一つを精査状況欄Ｄ２０に設定する。売上データＤ１が更新されると、その更新内容がデータベース２０に反映される。なお、ＰＯＳ端末１０では、勘定日を指定することで、当該勘定日の売上データＤ１を生成・更新することが可能であるとする。
【００１７】
データベース２０は、ＨＤＤやＳＳＤ等の記憶装置を有するデータベースサーバ等であって、各店舗のＰＯＳ端末１０で生成・更新される売上データを、ＰＯＳ端末１０及び店舗売上管理装置３０からアクセス可能に記憶・管理する。ここで、図４は、データベース２０が有する記憶領域のデータ構成の一例を示す図である。図４に示すように、データベース２０は、勘定日毎に、各店舗のテナントコードと、店舗の店舗名と、勘定日分の売上データ（売上データＤ１に対応）とを対応付けて格納する。なお、データベース２０のデータ構成は図４の例に限らないものとする。例えば、各店舗のテナントコード毎に、当該店舗の店舗名と、勘定日と、勘定日の売上データとを対応付けて格納する形態としてもよい。また、他のデータ項目を含めて格納してもよい。
【００１８】
店舗売上管理装置３０は、ＰＣ（Personal  Computer）等の情報処理装置である。店舗売上管理装置３０は、例えば図５に示すような電装系を有している。ここで、図５は、店舗売上管理装置３０の電装系の構成例を示す図である。
【００１９】
店舗売上管理装置３０は、ＣＰＵ、ＲＯＭ、ＲＡＭ等で構成されるコンピュータ構成の制御部３１と、当該制御部３１にバス３２を介して接続された、ネットワークＮに接続可能な通信インタフェース３３と、Ｉ／Ｏ機器制御部３４とを備える。また、制御部３１には、バス３２及びＩ／Ｏ機器制御部３４を介して、入力部３５、表示部３６及び記憶部３７等が接続される。
【００２０】
入力部３５は、キーボードやポインティングデバイス等の入力デバイスを有し、ユーザから操作を受け付け、その操作内容に応じた信号を制御部３１に通知する。表示部３６は、液晶ディスプレイ等の表示デバイスを有し、制御部３１の制御に従い各種の情報を表示する。記憶部３７は、ＨＤＤやＳＳＤ等の記憶装置を有し、制御部３１のＣＰＵが実行する各種プログラムや設定情報の他、後述する精査状況画面等の表示に係るコンテンツ等を記憶する。
【００２１】
ＰＯＳ端末１０の制御部１１は、ＣＰＵとプログラムとの協働により、アクセス手段、判別手段及び表示手段としての機能を有する。以下、図６及び図７を参照しながら、制御部１１の動作について説明する。
【００２２】
図６及び図７は、精査状況画面の一例を示す図である。図６及び図７に示すように、精査状況画面Ｇ１は、店舗指定欄Ａ２１と、勘定日を指定可能な勘定日指定欄Ａ２２とを有する。店舗指定欄Ａ２１は、表示の対象となる店舗名を指定することが可能な選択項目である。また、勘定日指定欄Ａ２２は、表示の対象となる勘定日を指定することが可能な入力項目である。なお、店舗指定欄Ａ２１の店舗名にはテナントコードが対応付けされているとする。
【００２３】
店舗売上管理装置３０のユーザは、精査状況の表示を所望する一又は複数の店舗名及び勘定日を、店舗指定欄Ａ２１及び勘定日指定欄Ａ２２を用いて指定する。店舗売上管理装置３０の制御部３１は、店舗指定欄Ａ２１及び勘定日指定欄Ａ２２に対し店舗名及び勘定日が検索に係る条件として指定されると、データベース２０にアクセスし、この条件に該当する売上データＤ１をデータベース２０から読み出す。これによりアクセス手段が実現される。
【００２４】
また、店舗売上管理装置３０の制御部３１は、データベース２０から読み出した売上データＤ１の各々に含まれる所定情報に基づいて、当該売上データＤ１の精査状況を判別する。これにより判別手段が実現される。さらに、店舗売上管理装置３０の制御部３１は、判別手段の判別結果に基づいて、各店舗での売上データＤ１の精査状況を精査状況画面Ｇ１内に表示する。これにより表示手段が実現される。
【００２５】
ここで、店舗売上管理装置３０の制御部３１は、勘定日指定欄Ａ２２で指定される勘定日の日数に応じて、精査状況の判別対象を売上データ全体又は後述する表示項目に切り替える。具体的に、店舗売上管理装置３０の制御部３１は、勘定日指定欄Ａ２２に、連続する２日以上の勘定日（勘定期間）が指定されると、図６に示す期間精査状況Ａ２３を精査状況画面Ｇ１内に表示する。
【００２６】
図６に示すように、期間精査状況Ａ２３は、個別期間表示Ａ２４と、全体期間表示Ａ２５とを含む。
【００２７】
個別期間表示Ａ２４は、店舗指定欄Ａ２１で指定された各店舗における、勘定日指定欄Ａ２２で指定された各勘定日での売上データＤ１全体の精査状況を表すものである。ここで、日付欄Ａ２４ａの精査状況Ａ２４ｂには、その勘定日に対応する各店舗（テナントコード）の売上データＤ１に含まれた精査状況欄Ｄ２０の値に応じた記号が設定される。なお、図６では、“未精査”を空欄、“精査済”を記号“○”、“精査中”を記号“Ｂ”“休”を記号“休”、“対象外”を記号“−”で表している。
【００２８】
また、全体欄Ａ２４ｃの精査状況Ａ２４ｄには、各勘定日に設定した精査状況Ａ２４ｂの状態を、店舗毎に組み合わせ結果（論理積等）が設定される。例えば、全ての勘定日で精査状況Ａ２４ｂが“精査済”の場合には、その組み合わせ結果として全体欄Ａ２４ｃの精査状況Ａ２４ｄに“精査済”を表す記号“○”を設定する。また、何れかの勘定日に“精査済”以外の他の状態が含まれる場合、組み合わせ結果として、他の状態を表す記号を全体欄Ａ２４ｃの精査状況Ａ２４ｄに設定する。なお、複数種類の他の状態が含まれる場合には、予め定めた優先度に基づいて、何れか一の他の状態を表す記号を設定してもよいし、全ての他の状態を表す記号を設定してもよい。
【００２９】
店舗売上管理装置３０の制御部３１は、個別期間表示Ａ２４の表示にあたり、データベース２０から読み出した売上データＤ１に含まれる精査状況欄Ｄ２０の設定値に基づき、当該売上データＤ１全体の精査状況を店舗毎及び勘定日毎に判別する。そして、判別した精査状況を表す記号を、対応する店舗名（テナントコード）及び日付欄Ａ２４ａの精査状況Ａ２４ｂに設定する。さらに、店舗売上管理装置３０の制御部３１は、各勘定日の日付欄Ａ２４ａに設定された精査状況Ａ２４ｂを店舗毎に組み合わせ、その組み合わせ結果を表す記号を、全体欄Ａ２４ｃの精査状況Ａ２４ｄに設定する。
【００３０】
これにより、店舗指定欄Ａ２１で指定した各店舗における、勘定日指定欄Ａ２２で指定した勘定期間での、売上データの精査状況を容易に確認することができるため、売上データの精査状況を確認する際の利便性を向上させることができる。
【００３１】
また、全体期間表示Ａ２５は、店舗指定欄Ａ２１で指定された店舗全体における、勘定日指定欄Ａ２２で指定された勘定期間での売上データＤ１の精査状況を表示する領域である。ここで、日付欄Ａ２５ａの精査状況Ａ２５ｂには、その勘定日に対応する個別期間表示Ａ２４の日付欄Ａ２４ａに設定された各店舗の精査状況Ａ２４ｂのうち、その状態が“未精査”或いは“精査中”にある店舗の個数が設定される。また、全体欄Ａ２５ｃの精査状況Ａ２５ｄには、個別期間表示Ａ２４の全体欄Ａ２４ｃに設定された各店舗の精査状況Ａ２４ｄのうち、その状態が“未精査”或いは“精査中”にある店舗の個数が設定される。
【００３２】
店舗売上管理装置３０の制御部３１は、全体期間表示Ａ２５の表示にあたり、個別期間表示Ａ２４に設定した各店舗の精査状況Ａ２４ｂを参照し、その状態が“未精査”或いは“精査中”にある店舗数を勘定日毎に算出する。そして、店舗売上管理装置３０の制御部３１は、算出した勘定日毎の店舗数を、対応する日付欄Ａ２５ａの精査状況Ａ２５ｂに設定する。また、店舗売上管理装置３０の制御部３１は、個別期間表示Ａ２４に設定した全体欄Ａ２４ｃの精査状況Ａ２４ｄを参照し、その状態が“未精査”或いは“精査中”にある店舗数を算出する。そして、店舗売上管理装置３０の制御部３１は、算出した店舗数を、全体欄Ａ２５ｃの精査状況Ａ２５ｄに設定する。
【００３３】
これにより、店舗指定欄Ａ２１で指定した全店舗における、勘定日指定欄Ａ２２で指定した勘定期間での、売上データの精査状況を容易に確認することができるため、売上データの精査状況を確認する際の利便性を向上させることができる。
【００３４】
なお、図６では、期間精査状況Ａ２３に個別期間表示Ａ２４及び全体期間表示Ａ２５の両方を表示する形態としたが、何れか一方を表示する形態としてもよい。また、精査状況Ａ２４ｂに設定された状態や精査状況Ａ２４ｄに設定された数値に応じて、その設定領域（セル）を色分け等することで識別可能に表示してもよい。
【００３５】
一方、勘定日指定欄Ａ２２に、特定の勘定日（特定勘定日）が指定された場合、店舗売上管理装置３０の制御部３１は、図７に示す特定日精査状況Ａ２６を、精査状況画面Ｇ１内に表示する。
【００３６】
図７に示すように、特定日精査状況Ａ２６は、個別項目表示Ａ２７と、全体項目表示Ａ２８とを含む。
【００３７】
個別項目表示Ａ２７は、店舗指定欄Ａ２１で指定された各店舗における、勘定日指定欄Ａ２２で指定された勘定日での売上データＤ１に含まれる各項目のうち、予め定められた項目（以下、表示項目）の精査状況を個別に表示する領域である。図７では、表示項目として「現金」、「クレジット」、「商品券１」及び「商品券２」の４つの項目を挙げているが、これに限らず、全項目を表示項目とする等、任意に設定することが可能である。
【００３８】
ここで、項目欄Ａ２７ａの精査状況Ａ２７ｂには、各店舗（テナントコード）の売上データＤ１に含まれた、対応する表示項目の精査状況（以下、個別精査状況という）が設定される。ここで、個別精査状況は、上述した売上データＤ１の精査状況と同様に５つの状態で表すことができる。また、個別精査状況は、例えば、対応する表示項目の入力状況から判別することができる。具体的には、訂正欄Ｄ１６及び採用欄Ｄ１７の両方が未入力の場合に“未精査”と判別し、訂正欄Ｄ１６が入力済で且つ採用欄Ｄ１７が未入力の場合に“精査中”と判別し、採用欄Ｄ１７が入力済の場合に“精査済”と判別する。なお、売上データＤ１の精査状況欄Ｄ２０が“休日”又は“対象外”の状態に設定されている場合には、個別精査状況についてもこの状態を引き継ぐものとする。
【００３９】
また、全体欄Ａ２７ｃの精査状況Ａ２７ｄには、各表示項目に設定した精査状況Ａ２７ｂの状態を、店舗毎に組み合わせ結果（論理積等）が設定される。なお、ここでの組み合わせ方法は、上述した個別期間表示Ａ２４での組み合わせ方法と同様である。
【００４０】
店舗売上管理装置３０の制御部３１は、個別項目表示Ａ２７の表示にあたり、データベース２０から読み出した売上データＤ１に含まれる項目のうち、予め定められた各表示項目の金額入力欄の入力状態に基づいて、当該各表示項目の個別精査状況を店舗毎に判別する。そして、店舗売上管理装置３０の制御部３１は、店舗毎に判別した各表示項目の個別精査状況を、対応する店舗及び項目欄Ａ２７ａの精査状況Ａ２７ｂに設定する。さらに、店舗売上管理装置３０の制御部３１は、項目欄Ａ２７ａの各々に設定された精査状況Ａ２７ｂの状態を店舗毎に組み合わせ、その組み合わせ結果を表す記号を、全体欄Ａ２７ｃの精査状況Ａ２７ｄに設定する。
【００４１】
これにより、店舗指定欄Ａ２１で指定した各店舗における、勘定日指定欄Ａ２２で指定した勘定日での、各表示項目の精査状況を容易に確認することができるため、売上データの精査状況を確認する際の利便性を向上させることができる。
【００４２】
また、全体項目表示Ａ２８は、店舗指定欄Ａ２１で指定された店舗全体における、勘定日指定欄Ａ２２で指定された勘定日での各表示項目の精査状況（個別精査状況）を表示する領域である。ここで、項目欄Ａ２８ａの精査状況Ａ２８ｂには、その表示項目に対応する個別項目表示Ａ２７の項目欄Ａ２７ａに設定された各店舗の精査状況Ａ２７ｂのうち、その状態が“未精査”或いは“精査中”にある店舗の個数が設定される。また、全体欄Ａ２８ｃの精査状況Ａ２８ｄには、個別項目表示Ａ２７の全体欄Ａ２７ｃに設定された各店舗の精査状況Ａ２７ｄのうち、その状態が“未精査”或いは“精査中”にある店舗の個数が設定される。
【００４３】
店舗売上管理装置３０の制御部３１は、全体項目表示Ａ２８の表示にあたり、個別項目表示Ａ２７に設定した各店舗の精査状況Ａ２７ｂを参照し、その状態が“未精査”或いは“精査中”にある店舗数を表示項目毎に算出する。そして、店舗売上管理装置３０の制御部３１は、算出した表示項目毎の店舗数を、対応する項目欄Ａ２８ａの精査状況Ａ２８ｂに設定する。また、店舗売上管理装置３０の制御部３１は、個別項目表示Ａ２７に設定した全体欄Ａ２７ｃの精査状況Ａ２７ｄを参照し、その状態が“未精査”或いは“精査中”にある店舗数を算出する。そして、店舗売上管理装置３０の制御部３１は、算出した店舗数を、全体欄Ａ２８ｃの精査状況Ａ２８ｄに設定する。
【００４４】
これにより、店舗指定欄Ａ２１で指定した全店舗における、勘定日指定欄Ａ２２で指定した勘定日での、各表示項目の精査状況を容易に確認することができるため、売上データの精査状況を確認する際の利便性を向上させることができる。
【００４５】
なお、図７では、特定日精査状況Ａ２６に個別項目表示Ａ２７及び全体項目表示Ａ２８の両方を表示する形態としたが、何れか一方を表示する形態としてもよい。また、精査状況Ａ２７ｂに設定された状態や精査状況Ａ２８ｄに設定された数値に応じて、その設定領域（セル）を色分け等することで識別可能に表示してもよい。
【００４６】
また、上記例では、勘定日指定欄Ａ２２に対し特定の勘定日が指定された場合に、特定日精査状況Ａ２６を表示する形態としたが、これに限らないものとする。例えば、期間精査状況Ａ２３の日付欄Ａ２４ａ又は日付欄Ａ２５ａに示された各勘定日のうち、何れか一の勘定日がクリック操作等により指定（選択）された場合に、店舗売上管理装置３０の制御部３１は、その選択された勘定日に係る店舗（店舗指定欄Ａ２１）での特定日精査状況Ａ２６を表示してもよい。
【００４７】
また、精査状況画面Ｇ１から、売上データＤ１を参照可能な構成としてもよい。より詳細には、個別期間表示Ａ２４の精査状況Ａ２４ｂ、個別項目表示Ａ２７の精査状況Ａ２７ｂや精査状況Ａ２７ｄがクリック操作等により指定（選択）された場合に、店舗売上管理装置３０の制御部３１は、その選択された精査状況に係る勘定日及び店舗名（テナントコード）の条件に該当する売上データＤ１をデータベース２０から読み出し、表示部３６に表示する。なお、この場合、売上データＤ１は、読み取り専用で表示してもよいし、読み書き可能（編集可能）で表示してもよい。
【００４８】
次に、店舗売上管理装置３０の動作について説明する。図８は、店舗売上管理装置３０が実行する精査状況表示処理の手順を示すフローチャートである。
【００４９】
まず、店舗売上管理装置３０の制御部３１は、入力部３５等を介して入力されるユーザからの指示に応じて、精査状況画面Ｇ１を表示部３６に表示する（ステップＳ１１）。ここで表示される精査状況画面Ｇ１には、店舗指定欄Ａ２１及び勘定日指定欄Ａ２２が表示される。なお、前回終了時の精査状況画面や、前日分の精査状況画面（特定日精査状況Ａ２６）等、本処理の開始時に表示すべき内容が予め定められている場合には、その内容に応じた精査状況画面を表示するものとする。
【００５０】
次いで、店舗売上管理装置３０の制御部３１は、店舗指定欄Ａ２１に対し、一又は複数の店舗を指定する操作が行われたか否かを判定する（ステップＳ１２）。店舗売上管理装置３０の制御部３１は、店舗の指定を受け付けると（ステップＳ１２；Ｙｅｓ）、この指定された店舗のテナントコードを第１条件として設定し（ステップＳ１３）、ステップＳ１４に移行する。なお、店舗が指定されない場合又は第１条件に変更がない場合には（ステップＳ１２；Ｎｏ）、ステップＳ１４に移行する。
【００５１】
続いて、店舗売上管理装置３０の制御部３１は、勘定日指定欄Ａ２２に対し、勘定日を指定する操作が行われたか否かを判定する（ステップＳ１４）。店舗売上管理装置３０の制御部３１は、勘定日の指定を受け付けると（ステップＳ１４；Ｙｅｓ）、この指定された期限日を第２条件として設定し（ステップＳ１５）、ステップＳ１６に移行する。なお、勘定日が指定されない場合又は第２条件に変更がない場合には（ステップＳ１４；Ｎｏ）、ステップＳ１９に移行する。
【００５２】
続くステップＳ１６において、店舗売上管理装置３０の制御部３１は、ステップＳ１５で設定した第２条件が、連続する２日以上の勘定日を指定する勘定期間か、特定の勘定日を指定する特定勘定日かを判別する（ステップＳ１６）。
【００５３】
店舗売上管理装置３０の制御部３１は、第２条件が勘定期間と判別すると（ステップＳ１６；Ｙｅｓ）、ステップＳ１３及びＳ１５で設定した第１条件及び第２条件に基づいて、精査状況画面Ｇ１内に期間精査状況Ａ２３を表示し（ステップＳ１７）、ステップＳ１９に移行する。また、店舗売上管理装置３０の制御部３１は、第２条件が特定勘定日と判別すると（ステップＳ１６；Ｎｏ）、ステップＳ１３及びＳ１５で設定した第１条件及び第２条件に基づいて、精査状況画面Ｇ１内に特定日精査状況Ａ２６を表示し（ステップＳ１８）、ステップＳ１９に移行する。
【００５４】
続いて、店舗売上管理装置３０の制御部３１は、入力部３５等を介して、本処理の終了が指示されたか否かを判定する（ステップＳ１９）。ここで、終了が指示されない場合には（ステップＳ１９；Ｎｏ）、ステップＳ１２に再び戻る。また、店舗売上管理装置３０の制御部３１は、終了が指示されたと判定すると（ステップＳ１９；Ｙｅｓ）、精査状況画面Ｇ１を消去し（ステップＳ２０）、本処理を終了する。
【００５５】
以上のように、本実施形態の店舗売上管理装置３０は、各店舗の売上データＤ１をデータベース２０から読み出し、当該売上データＤ１の各々に含まれる所定情報（精査状況欄Ｄ２０、金額入力欄）に基づいて精査状況を判別し、この判別結果を用いて各店舗での売上データＤ１の精査状況を表した精査状況画面Ｇ１を表示する。これにより、各店舗での売上データの精査状況を容易に確認することができるため、売上管理を行う際の利便性を向上させることができる。
【００５６】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【００５７】
例えば、上記実施形態では、ＰＯＳ端末１０の各々で生成される売上データＤ１を、独立した装置であるデータベース２０が記憶・管理する形態としたが、このデータベース２０の機能を店舗売上管理装置３０が備えてもよい。より詳細には、店舗売上管理装置３０が、ＰＯＳ端末１０の各々で生成される売上データＤ１を、図４に記載したデータ構成で記憶・管理することで、データベース２０の機能を具備することができる。
【００５８】
また、上記実施形態では、売上データＤ１に含まれる表示項目の金額入力の入力状態から判別した判別結果を当該表示項目の精査状況（個別精査状況）としたが、これに限らず、この判別結果を売上データＤ１全体の精査状況としてもよい。この場合、売上データＤ１は、精査状況欄Ｄ２０を具備しない構成としてもよい。
【００５９】
また、上記実施形態では、精査状況欄Ｄ２０の設定値を用いて売上データＤ１全体の精査状況を判別したが、この精査状況欄Ｄ２０を項目（表示項目）毎に設けることで、各項目の精査状況を精査状況欄Ｄ２０で定義してもよい。この場合、店舗売上管理装置３０の制御部３１は、表示項目の各々に設けられた精査状況欄Ｄ２０の設定値に基づき、各表示項目の精査状況の判別を行うものとする。
【００６０】
なお、上記実施形態の店舗売上管理装置３０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６１】
また、上記実施形態の店舗売上管理装置３０で実行されるプログラムを、インターネット等のネットワークに接続されたコンピュータ上に格納し、ネットワーク経由でダウンロードさせることにより提供するように構成してもよい。また、上記実施形態の店舗売上管理装置３０で実行されるプログラムをインターネット等のネットワーク経由で提供又は配布するように構成してもよい。
【符号の説明】
【００６２】
１０  ＰＯＳ端末
２０  データベース
３０  店舗売上管理装置
３１  制御部
３２  バス
３３  通信インタフェース
３４  Ｉ／Ｏ機器制御部
３５  入力部
３６  表示部
３７  記憶部
Ｎ  ネットワーク
【先行技術文献】
【特許文献】
【００６３】
【特許文献１】特開平１１−２５０１３２号公報
【図１】
2014174572.tif 000003
【図２】
2014174572.tif 000004
【図３】
2014174572.tif 000005
【図４】
2014174572.tif 000006
【図５】
2014174572.tif 000007
【図６】
2014174572.tif 000008
【図７】
2014174572.tif 000009
【図８】
2014174572.tif 000010